(57)【要約】【課題】複数の映像情報を容易に管理することのできる情報処理装置を提供する。【解決手段】この情報処理装置は、少なくとも開始時刻、終了時刻、およびイベント名からなるスケジュール情報１０Ａを格納する記憶部１０と、外部のビデオカメラ２から、映像情報２３Ｂに対応して少なくとも撮影開始時刻、および撮影終了時刻からなる映像管理情報２３Ａを取得し、スケジュール情報１０Ａおよび映像管理情報２３Ａを参照して、イベント名ごとに前記開始時刻と前記終了時刻の間に前記撮影開始時刻と前記撮影終了時刻が含まれる映像管理情報を２３Ａ取得して、イベント名を付与してメディア用映像管理情報１０Ｂを作成する制御部１５とを有する。【選択図】図２
2009159072.tif 000002
【特許請求の範囲】
【請求項１】
少なくとも開始時刻、終了時刻、およびイベント名からなるスケジュール情報を格納する記憶部と、
外部の映像記録装置から、映像情報に対応して少なくとも撮影開始時刻、および撮影終了時刻からなる第１の映像管理情報を取得し、前記スケジュール情報および前記第１の映像管理情報を参照して、前記イベント名ごとに前記開始時刻と前記終了時刻の間に前記撮影開始時刻と前記撮影終了時刻が含まれる前記第１の映像管理情報を取得して、前記イベント名を付与して第２の映像管理情報を作成する制御部とを有することを特徴とする情報処理装置。
【請求項２】
少なくとも開始時刻、終了時刻、およびイベント名からなるスケジュール情報を格納する記憶部と、
前記スケジュール情報から選択されたイベント名の前記開始時刻と前記終了時刻の間に撮影開始時刻と撮影終了時刻が含まれる第１の映像管理情報を外部の映像記録装置から取得して、前記イベント名を付与した第２の映像管理情報を作成する制御部とを有することを特徴とする情報処理装置。
【請求項３】
少なくとも開始時刻、終了時刻、およびイベント名からなるスケジュール情報と、少なくとも撮影開始時刻、および撮影終了時刻からなる第１の映像管理情報とを外部から取得して、
前記スケジュール情報および前記第１の映像管理情報を参照し、前記開始時刻と前記終了時刻の間に前記撮影開始時刻と前記撮影終了時刻が含まれる前記第１の映像管理情報を取得して、前記イベント名を付与して第２の映像管理情報を作成する制御部とを有することを特徴とする情報処理装置。
【請求項４】
前記制御部は、前記第２の映像管理情報に基づいて前記外部の映像記録装置から映像情報を取得して、前記第２の映像管理情報とともに外部記録媒体に記録することを特徴とする請求項１から３のいずれか１項に記載の情報処理装置。
【請求項５】
前記制御部は、前記第１の映像管理情報に対して、複数の前記スケジュール情報が含まれる場合、前記複数のスケジュール情報に対応した参照情報を前記映像管理情報に付与して、第２の映像管理情報を作成することを特徴とする請求項１から３のいずれか１項に記載の情報処理装置。
【請求項６】
前記制御部は、前記第２の映像管理情報に複数の前記第１の映像管理情報が含まれる場合、複数の前記第１の映像管理情報の再生順序を定める再生順序情報を作成することを特徴とする請求項１から３のいずれか１項に記載の情報処理装置。
【発明の詳細な説明】
【技術分野】
【０００１】
本発明は、情報処理装置に関する。
【背景技術】
【０００２】
従来の技術として、ビデオカメラ等によって撮影された映像情報に映像管理情報としてのタイトルをつける際に、予め入力されたスケジュール情報に含まれる文字列をタイトル候補として表示し、利用者に選択させる情報処理装置がある（例えば、特許文献１参照）。
【０００３】
この情報処理装置は、映像情報の撮影対象となる可能性のある人物のスケジュール情報と年間イベント等に関するスケジュール情報を記憶する記憶部と、映像およびタイトル選択用のメニューを表示する表示部と、映像情報にタイトルをつける際、スケジュール情報を呼び出し、映像情報の撮影された日時や時刻が対応するイベントをスケジュール情報から検索して、そのイベントに含まれる文字列を映像情報のタイトル候補として表示部のタイトル選択メニューに表示する制御部とを有する。制御部は、利用者によってタイトル選択メニューにおいて選択された文字列を映像情報のタイトルとして設定するため、利用者は、文字を入力することなく映像情報のタイトルを設定でき、映像編集の作業負担を軽減できる。
【特許文献１】特表２００７−５２８６２６号公報
【発明の開示】
【発明が解決しようとする課題】
【０００４】
しかし、従来の情報処理装置によると、簡単な作業で映像情報にタイトルをつけられるため、映像情報が複数存在する場合は、それらのタイトルを参照することで一覧性が向上するが、複数の映像情報を複数のテーマで分別して、テーマごとに映像情報集を作成する場合等、映像情報の分別・編集作業をする場合、利用者は、映像情報またはそのタイトルを一つ一つ確認して所望のテーマに沿った映像情報を探し出す必要があり、映像情報の管理に膨大な時間が必要となる。
【０００５】
従って、本発明の目的は、複数の映像情報を容易に管理することのできる情報処理装置を提供することにある。
【課題を解決するための手段】
【０００６】
（１）本発明は上記目的を達成するため、少なくとも開始時刻、終了時刻、およびイベント名からなるスケジュール情報を格納する記憶部と、外部の映像記録装置から、映像情報に対応して少なくとも撮影開始時刻、および撮影終了時刻からなる第１の映像管理情報を取得し、前記スケジュール情報および前記第１の映像管理情報を参照して、前記イベント名ごとに前記開始時刻と前記終了時刻の間に前記撮影開始時刻と前記撮影終了時刻が含まれる前記第１の映像管理情報を取得して、前記イベント名を付与して第２の映像管理情報を作成する制御部とを有することを特徴とする情報処理装置を提供する。
【０００７】
上記した構成によれば、スケジュール情報のイベント名ごとに映像情報を記録または再生するための第２の映像管理情報を作成するため、複数の映像情報に対して名前を付与することができ、煩雑な作業を必要とせずに複数の映像情報を管理することができる。
【０００８】
（２）また、本発明は上記目的を達成するため、少なくとも開始時刻、終了時刻、およびイベント名からなるスケジュール情報を格納する記憶部と、前記スケジュール情報から選択されたイベント名の前記開始時刻と前記終了時刻の間に撮影開始時刻と撮影終了時刻が含まれる第１の映像管理情報を外部の映像記録装置から取得して、前記イベント名を付与した第２の映像管理情報を作成する制御部とを有することを特徴とする情報処理装置を提供する。
【０００９】
上記した構成によれば、スケジュール情報からイベント名を選択することで、所望のイベント名に対する映像情報を取得することができ、煩雑な作業を必要とせずに所望の映像情報を管理することができる。
【００１０】
（３）また、本発明は上記目的を達成するため、少なくとも開始時刻、終了時刻、およびイベント名からなるスケジュール情報と、少なくとも撮影開始時刻、および撮影終了時刻からなる第１の映像管理情報とを外部から取得して、前記スケジュール情報および前記第１の映像管理情報を参照し、前記開始時刻と前記終了時刻の間に前記撮影開始時刻と前記撮影終了時刻が含まれる前記第１の映像管理情報を取得して、前記イベント名を付与して第２の映像管理情報を作成する制御部とを有することを特徴とする情報処理装置を提供する。
【００１１】
上記した構成によれば、外部において管理されるスケジュール情報を取得して（１）と同様の効果を得ることができる。
【発明の効果】
【００１２】
本発明によれば、複数の映像情報を容易に管理することができる。
【発明を実施するための最良の形態】
【００１３】
以下に、本発明の情報処理装置の実施の形態を、図面を参照して詳細に説明する。
【００１４】
〔第１の実施の形態〕
（情報処理装置の構成）
図１は、本発明の第１の実施の形態に係る情報処理装置としてのパーソナルコンピュータ（ＰＣ）を示す斜視図である。
【００１５】
ＰＣ１は、ビデオカメラ２とＵＳＢ（Ｕｎｉｖｅｒｓａｌ  Ｓｅｒｉａｌ  Ｂｕｓ）ケーブル２０によって接続されて互いに通信し、ビデオカメラ２によって撮影された映像情報をＰＣ１に転送したり、ＰＣ１によってビデオカメラ２を操作することが可能である。
【００１６】
ＰＣ１は、上部筐体１００と下部筐体１１０から構成され、上部筐体１００が下部筐体１１０に対してヒンジ部１２０により開閉自在に接続されている。上部筐体１００は、文字や画像等を表示する液晶表示パネル等からなる表示部１３を有する。下部筐体１１０は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品を内部に収容しており、ＤＶＤやＨＤＤ  ＤＶＤ等の読み出しおよび書き込みが可能な光学メディアドライブ１２と、ＵＳＢケーブル２０が接続されて外部機器と通信するＵＳＢポート１４ａと、文字やコマンドを入力するためのキーボード１６ａと、ポインティングデバイスとしてのトラックパッド１６ｂとを上面に有する。
【００１７】
ビデオカメラ２は、複数のレンズ群よりなる光学系とＣＣＤ（Ｃｈａｒｇｅ  Ｃｏｕｐｌｅｄ  Ｄｅｖｉｃｅ）等の撮像素子とから構成される撮像部２４と、ＵＳＢケーブル２０が挿入されて外部機器と通信するＵＳＢポート２１ａとを有し、撮影することによって本体内部に設けられた記憶部に作成される映像情報および映像情報に付随する映像管理情報（第１の映像管理情報）を記憶部に格納する。
【００１８】
図２は、本発明の第１の実施の形態に係るＰＣおよびビデオカメラの構成を示すブロック図である。
【００１９】
ＰＣ１は、情報を読み書き可能に格納するＨＤＤ等の記憶部１０と、情報を一時的に記憶して各部の処理を補助するメモリ１１と、ＤＶＤやＨＤ  ＤＶＤの光学記録媒体に対して情報の読み出しおよび書き込み可能な光学メディアドライブ１２と、ＬＣＤ等の液晶表示パネル上に文字や画像を表示する表示部１３と、ＵＳＢポート１４ａに挿入されたＵＳＢケーブル２０を介してビデオカメラ２と通信する通信部１４と、各部の動作を制御するとともにプログラムを動作させる制御部１５と、それぞれ操作機能を割り当てられた複数のスイッチ群より構成されキーボード１６ａおよびトラックパッド１６ｂを含む操作部１６とを有する。
【００２０】
記憶部１０は、イベントごとに設定されたイベント名および日付情報等からなるスケジュール情報１０Ａと、光学メディアドライブ１２において記録媒体に映像情報を書き込む際の映像情報の付随情報となるメディア用映像管理情報１０Ｂ（第２の映像管理情報）とを格納する。
【００２１】
制御部１５は、スケジュール情報１０Ａを編集するためのスケジュール管理プログラム１５Ａと、メディア用映像管理情報１０Ｂを編集するための映像管理情報編集プログラム１５Ｂと、映像情報およびメディア用映像管理情報１０Ｂを記録媒体に書き込む際に光学メディアドライブ１２を制御するメディア作成プログラム１５Ｃとを動作させる。
【００２２】
ビデオカメラ２は、ＵＳＢポート２１ａに挿入されたＵＳＢケーブル２０を介してＰＣ１と通信する通信部２１と、各部の動作を制御する制御部２２と、複数のレンズ群よりなる光学系とＣＣＤ等の撮像素子とから構成される撮像部２４と、情報を読み書き可能に格納する着脱可能なＳＤカード等の記憶部２３とを有する。また、ビデオカメラ２は、撮像部２４の撮影操作や、制御部において動作する図示しない撮像用のプログラムのメニュー操作等を実行する図示しない操作部を有する。
【００２３】
記憶部２３は、ビデオカメラ２によって撮影が行われた際の日付、撮影開始時刻、および撮影終了時刻等の映像情報２３Ｂに対する付随情報、例えば、ＩＦＯファイル等である映像管理情報２３Ａと、撮像部２４において撮影された映像の実データである映像情報２３Ｂとを格納する。
【００２４】
図３（ａ）および（ｂ）は、本発明の第１の実施の形態に係るスケジュール情報を示す概略図である。
【００２５】
スケジュール情報１０Ａは、図３（ａ）に示すように、利用者によって入力されてそのイベントの名前を示すイベント名と、イベントを実行する予定の日付と、イベントを開始する予定の開始時刻と、イベントを終了する予定の終了時刻と、イベント中に設定できる詳細スケジュールデータとを有する。詳細スケジュールデータは、利用者によって入力されて、そのスケジュールの名前を示すスケジュール名と、スケジュールの開始時刻と、スケジュールの終了時刻とを有する。
【００２６】
スケジュール表示ウインドウ５０は、図３（ｂ）に示すように、スケジュール情報１０Ａに基づいてスケジュール管理プログラム１５Ａによって表示部１３に表示され、日をまたがないイベントに対してイベント名だけで表示されるイベント５１ａ〜５１ｃと、日をまたぐイベントに対してイベント名とともに帯表示されるイベント帯５２と、詳細スケジュールデータに対して、例えばポップアップ表示によりスケジュール名を表示する詳細スケジュール５３と、詳細スケジュールの開始時刻とともに表示されるスケジュール名５３ａ〜５３ｅとを表示する。なお、月ごとの表示だけでなく、週ごと、および日ごとに表示してもよい。
【００２７】
図４は、本発明の第１の実施の形態に係る映像管理情報を示す概略図である。
【００２８】
映像管理情報２３Ａは、映像情報に対するタイトル名と、映像情報が撮影された撮影日付と、撮影開始時刻と、撮影終了時刻とを有する。なお、タイトル名は、撮影時に制御部２２によって自動で付与されたものであり、一般的に撮影回数等を用いて設定される。また、撮影日付、撮影開始時刻、および撮影終了時刻は、撮影時に制御部２２に内臓された時計に基づいて自動で付与される。
【００２９】
図５は、本発明の第１の実施の形態に係るメディア用映像管理情報を示す概略図である。
【００３０】
メディア用映像管理情報６０（６０ａ〜６０ｄ）は、メディア用映像管理情報６０を用いて映像情報を記録媒体に記録した際に名称として表示されるイベント名６１（６１ａ〜６１ｄ）と、映像情報単位ごとに設定される１つまたは複数のタイトル６３０（６３１ａ〜６３３ｄ）と、タイトル６３０の再生順序を記述する再生順序情報としての全タイトルイベントリスト６２（６２ａ〜６２ｄ）とを有する。全タイトルイベントリスト６２は、タイトル６３０が複数存在する場合に作成される。タイトル６３０は、タイトル名６４０（６４１ａ〜６４３ｄ）を有する。また、タイトル６３０に対して、しおりやチャプターのように参照情報としてのエントリーポイント６５０（６５１ｄ、６５３ｄ）を設定することができる。
【００３１】
メディア用映像管理情報６０ａは、スケジュール情報１０Ａのイベント名「北海道旅行」から取得したイベント名６１ａと、複数のタイトルの再生順番を記述する全タイトルプレイリスト６２ａと、「北海道旅行」の開始時刻から終了時刻の間、つまり「２００７／２／１３」の「０：００」から「２００７／２／１６」の「２４：００」の間に撮影開始時刻から撮影終了時刻が含まれる映像管理情報２３Ａのタイトル名「０００１．ｄａｔ」〜「０００４．ｄａｔ」に対応するタイトル６３１ａ〜６３４ａと、スケジュール情報１０Ａのイベント名「北海道旅行」に連番「１」〜「４」を付与したタイトル名６４１ａ〜６４４ａとを有する。
【００３２】
メディア用映像管理情報６０ｂは、スケジュール情報１０Ａのイベント名「お遊戯会」から取得したイベント名６１ｂと、「お遊戯会」の開始時刻から終了時刻に含まれる映像管理情報２３Ａのタイトル名「０００５．ｄａｔ」に対応するタイトル６３１ｂと、イベント名「お遊戯会」を用いたタイトル名６４１ｂとを有する。このメディア用映像管理情報６０ｂは、タイトル６３１ｂのみで構成されているため、タイトル再生順序を記述する全タイトルプレイリストをもたない。
【００３３】
メディア用映像管理情報６０ｃは、スケジュール情報１０Ａのイベント名「鎌倉旅行」から取得したイベント名６１ｃと、「鎌倉旅行」の開始時刻から終了時刻に含まれる映像管理情報２３Ａのタイトル名「０００６．ｄａｔ」に対応するタイトル６３１ｃと、イベント名「鎌倉旅行」を用いたタイトル名６４１ｃとを有する。
【００３４】
メディア用映像管理情報６０ｄは、スケジュール情報１０Ａのイベント名「運動会」から取得したイベント名６１ｄと、複数のタイトルの再生順番を記述する全タイトルプレイリスト６２ｄと、「運動会」の開始時刻から終了時刻の間、つまり「２００７／２／２７」の「１０：００」から「１６：３０」の間に撮影開始時刻から撮影終了時刻が含まれる映像管理情報２３Ａのタイトル名「０００７．ｄａｔ」〜「０００９．ｄａｔ」に対応するタイトル６３１ｄ〜６３３ｄと、スケジュール情報１０Ａの詳細スケジュールデータ「開会式」、「昼食」、および「親子リレー」を付与したタイトル名６４１ｄ〜６４３ｄとを有する。また、スケジュール名「徒競走」および「閉会式」の開始時刻と終了時刻は、タイトル名６４１ｄ「開会式」およびタイトル名６４３ｄ「親子リレー」が付与されたタイトル６３１ｄおよび６３３ｄに含まれているため、それぞれの開始時刻をエントリーポイント６５１ｄおよび６５３ｄとして設定し、エントリーポイント名６６１ｄ「徒競走」および６６３ｄ「閉会式」とを付与する。
【００３５】
（動作）
以下に、本発明の実施の形態におけるＰＣの動作を各図を参照しつつ説明する。
【００３６】
図６は、本発明の第１の実施の形態に係るＰＣの動作例を示すフローチャートである。
【００３７】
まず、映像管理情報編集プログラム１５Ｂは、記憶部１０からスケジュール情報１０Ａを取得する（Ｓ１０）とともに、通信部１４を介してビデオカメラ２から映像管理情報２３Ａを取得する（Ｓ１１）。
【００３８】
次に、スケジュール情報１０Ａのイベントごとに、メディア用映像管理情報１０Ｂを記憶部１０に作成し（Ｓ１２）、イベントの開始時刻と終了時刻のイベント期間内に撮影開始時刻と撮影終了時刻の撮影期間が含まれる、または撮影期間の少なくとも一部が含まれる映像管理情報２３Ａを抽出して（Ｓ１３）、メディア用映像管理情報１０Ｂに抽出した映像管理情報２３Ａをタイトルとして設定する（Ｓ１４）。
【００３９】
この際、タイトルのタイトル名は、イベント名を用い、タイトルが複数存在する場合はイベント名に連番を付与する。また、詳細スケジュールが設定されている場合は、スケジュールの開始時刻と終了時刻のスケジュール期間に含まれるスケジュール名をタイトル名に付与する。
【００４０】
１つのタイトルに対して複数のスケジュールが存在する場合（Ｓ１５；Ｙｅｓ）、時刻が最も古いスケジュールのスケジュール名をタイトルのタイトル名とし、その他のスケジュールはタイトルに対してエントリーポイントを作成して、スケジュール名をエントリーポイント名に設定する（Ｓ１６）。
【００４１】
次に、１つのメディア用映像管理情報１０Ｂに対して、抽出された映像管理情報２３Ａ、つまりタイトルが複数存在する場合（Ｓ１７；Ｙｅｓ）、抽出されたタイトルを時刻順に再生するように全タイトルプレイリストを作成する（Ｓ１８）。
【００４２】
図７は、本発明の第１の実施の形態に係るＰＣの動作例を示すフローチャートである。
【００４３】
まず、スケジュール管理プログラム１５Ａは、記憶部１０からスケジュール情報１０Ａを取得して、図３（ｂ）に示すスケジュール表示ウインドウを表示する。利用者によって、所望のイベントが選択されると（Ｓ２０）、選択されたイベントのスケジュール情報１０Ａを取得し（Ｓ２１）、通信部１４を介してビデオカメラ２から、映像管理情報２３Ａを取得する（Ｓ２２）。
【００４４】
次に、選択されたイベントの、メディア用映像管理情報１０Ｂを記憶部１０に作成し（Ｓ２３）、イベント期間内に撮影期間が含まれる、または少なくとも一部が含まれる映像管理情報２３Ａを抽出して（Ｓ２４）、メディア用映像管理情報１０Ｂに抽出した映像管理情報２３Ａをタイトルとして設定する（Ｓ２５）。
【００４５】
１つのタイトルに対して複数のスケジュールが存在する場合（Ｓ２６；Ｙｅｓ）、時刻が最も古いスケジュールのスケジュール名をタイトルのタイトル名とし、その他のスケジュールはタイトルに対してエントリーポイントを作成して、スケジュール名をエントリーポイント名に設定する（Ｓ２７）。
【００４６】
次に、１つのメディア用映像管理情報１０Ｂに対して、抽出された映像管理情報２３Ａ、つまりタイトルが複数存在する場合（Ｓ２８；Ｙｅｓ）、抽出されたタイトルを時刻順に再生するように全タイトルプレイリストを作成する（Ｓ２９）。
【００４７】
図８は、本発明の第１の実施の形態に係るＰＣの動作例を示すフローチャートである。
【００４８】
メディア作成プログラム１５Ｃは、図５に示すメディア用映像管理情報６０を表示部１３に表示し、利用者に所望のメディア用映像管理情報６０を選択させる。この際、イベント名だけ表示部１３に表示して利用者に選択させてもよい。次に、選択されたメディア用映像管理情報６０を取得し（Ｓ３０）、取得したメディア用映像管理情報６０のタイトルに基づいて対応する映像情報２３Ｂを通信部１４を介してビデオカメラ２から取得する（Ｓ３１）。次に、メディア用映像管理情報６０と映像情報２３Ｂとを光学メディアドライブ１２において外部の記録媒体に対して書き込む（Ｓ３２）。
【００４９】
（第１の実施の形態の効果）
上記した第１の実施の形態によると、スケジュール情報１０Ａに基づいてビデオカメラ２の映像管理情報２３Ａから情報を抽出してメディア用映像管理情報１０Ｂを作成したため、ビデオカメラ２で撮影された映像情報２３Ｂにタイトル名を付与することができるとともに、イベントごとに映像情報２３Ｂをまとめて記録媒体に記録することができ、映像情報２３Ｂの管理が容易となる。
【００５０】
なお、映像管理情報２３Ａおよび映像情報２３Ｂは、ビデオカメラ２に限らず外部記憶装置等から取得してもよいし、ＰＣ１の記憶部１０に格納されているものであってもよい。また、メディア用映像管理情報６０に基づいて情報を記録する記録先は、外部記録媒体に限らず記憶部１０であってもよい。
【００５１】
また、メディア用映像管理情報６０は、イベント単位で作成されるものであるが、記録先としての記録媒体の容量に基づいて複数に分割されるものであってもよい。また、記録先の記録媒体の容量に基づいて複数のメディア用映像管理情報６０を統合してもよい。
【００５２】
〔第２の実施の形態〕
（情報処理装置の構成）
図９は、本発明の第２の実施の形態に関する情報処理装置としてのＤＶＤライタを示す斜視図である。なお、以下の説明において、第１の実施の形態と同一の構成および機能を有する部分については共通の符号を付している。
【００５３】
ＤＶＤライタ３は、ビデオカメラ２とＵＳＢ（Ｕｎｉｖｅｒｓａｌ  Ｓｅｒｉａｌ  Ｂｕｓ）ケーブル２０によって接続されて互いに情報を通信し、ビデオカメラ２によって撮影された映像情報をＰＣ１に転送したり、ＰＣ１によってビデオカメラ２を操作することが可能である。また、ＤＶＤライタ３は、携帯端末４とＵＳＢケーブル４０によって接続されて互いに情報を通信し、携帯端末４に格納された情報を参照することができる。
【００５４】
ＤＶＤライタ３は、ＣＰＵやＨＤＤ等の電子部品を本体内部に収容しており、ＤＶＤやＨＤＤ  ＤＶＤ等の読み出しおよび書き込みが可能な光学メディアドライブ３２と、文字や画像等を表示する液晶表示パネル等からなる表示部３３と、ＵＳＢケーブル２０が接続されて外部機器と通信するＵＳＢポート３４ａと、ＤＶＤライタ３の機能を操作する操作部３６とを上面に有する。
【００５５】
携帯端末４は、本体内部に制御部および記憶部を有するとともに、ＵＳＢケーブル４０が接続されてＤＶＤライタ３と通信するＵＳＢポート４１ａと、携帯端末４の機能を操作する操作部４４と、文字や画像等を表示する小型の液晶表示パネル等からなる表示部４５とを有する。また、携帯端末４は、スケジュール管理機能を備え、操作部４４によってイベントおよびスケジュールの入力が可能である。
【００５６】
図１０は、本発明の第２の実施の形態に係るＤＶＤライタおよび携帯端末の構成を示すブロック図である。
【００５７】
ＤＶＤライタ３は、情報を読み書き可能に格納するＨＤＤ等の記憶部３０と、情報を一時的に記憶して各部の処理を補助するメモリ３１と、ＤＶＤやＨＤ  ＤＶＤの光学記録媒体に対して情報の読み出しおよび書き込み可能な光学メディアドライブ３２と、ＬＣＤ等の液晶表示パネル上に文字や画像を表示する表示部３３と、ＵＳＢポート３４ａおよび３４ｂに挿入されたＵＳＢケーブル２０および４０を介してビデオカメラ２および携帯端末４と通信する通信部３４と、各部の動作を制御するとともにプログラムを動作させる制御部３５と、それぞれ操作機能を割り当てられた複数のスイッチ群より構成される操作部３６とを有する。
【００５８】
記憶部３０は、光学メディアドライブ３２において記録媒体に映像情報を書き込む際の映像情報の付随情報となるメディア用映像管理情報３０Ｂを格納する。
【００５９】
制御部３５は、メディア用映像管理情報３０Ｂを編集するための映像管理情報編集プログラム３５Ｂと、映像情報およびメディア用映像管理情報３０Ｂを記録媒体に書き込む際に光学メディアドライブ３２を制御するメディア作成プログラム３５Ｃとを動作させる。
【００６０】
携帯端末４は、ＵＳＢポート４１ａに挿入されたＵＳＢケーブル４０を介してＤＶＤライタ３と通信する通信部４１と、各部の動作を制御する制御部４２と、情報を読み書き可能に格納する着脱可能なＳＤカード等の記憶部４３と、制御部において動作する図示しない電話機能用のプログラムのメニュー操作等を実行する操作部４４と、ＬＣＤ等の液晶表示パネル上に文字や画像を表示する表示部４５とを有する。
【００６１】
制御部４２は、スケジュール情報４３Ａを編集するためのスケジュール管理プログラム４２Ａを動作させる。
【００６２】
記憶部４３は、イベントごとに設定されたイベント名および日付情報等からなるスケジュール情報４３Ａを格納する。
【００６３】
（動作）
まず、映像管理情報編集プログラム３５Ｂは、携帯端末４の記憶部４３からスケジュール情報４３Ａを取得するとともに、ビデオカメラ２から映像管理情報２３Ａを取得する。映像管理情報編集プログラム３５Ｂは、スケジュール情報４３Ａと映像管理情報２３Ａに基づいてメディア用映像管理情報３０Ｂを作成する。
【００６４】
（第２の実施の形態の効果）
上記した第２の実施の形態によると、携帯端末４から取得したスケジュール情報４３Ａに基づいてメディア用映像管理情報３０Ｂを作成するため、情報処理装置としてのＤＶＤライタ３にスケジュール管理プログラム４２Ａをもたない場合にも、第１の実施の形態と同様の効果を達成できる。
【図面の簡単な説明】
【００６５】
【図１】本発明の第１の実施の形態に係る情報処理装置としてのパーソナルコンピュータ（ＰＣ）を示す斜視図である。
【図２】本発明の第１の実施の形態に係るＰＣおよびビデオカメラの構成を示すブロック図である。
【図３】（ａ）および（ｂ）は、本発明の第１の実施の形態に係るスケジュール情報を示す概略図である。
【図４】本発明の第１の実施の形態に係る映像管理情報を示す概略図である。
【図５】本発明の第１の実施の形態に係るメディア用映像管理情報を示す概略図である。
【図６】本発明の第１の実施の形態に係るＰＣの動作例を示すフローチャートである。
【図７】本発明の第１の実施の形態に係るＰＣの動作例を示すフローチャートである。
【図８】本発明の第１の実施の形態に係るＰＣの動作例を示すフローチャートである。
【図９】本発明の第２の実施の形態に関する情報処理装置としてのＤＶＤライタを示す斜視図である。
【図１０】本発明の第２の実施の形態に係るＤＶＤライタおよび携帯端末の構成を示すブロック図である。
【符号の説明】
【００６６】
１…ＰＣ、２…ビデオカメラ、３…ＤＶＤライタ、４…携帯端末、１０…記憶部、１０Ａ…スケジュール情報、１０Ｂ…メディア用映像管理情報、１１…メモリ、１２…光学メディアドライブ、１３…表示部、１４…通信部、１４ａ…ＵＳＢポート、１５…制御部、１５Ａ…スケジュール管理プログラム、１５Ｂ…映像管理情報編集プログラム、１５Ｃ…メディア作成プログラム、１６…操作部、１６ａ…キーボード、１６ｂ…トラックパッド、２０…ＵＳＢケーブル、２１…通信部、２１ａ…ＵＳＢポート、２２…制御部、２３…記憶部、２３Ａ…映像管理情報、２３Ｂ…映像情報、２４…撮像部、３０…記憶部、３０Ｂ…メディア用映像管理情報、３１…メモリ、３２…光学メディアドライブ、３３…表示部、３４…通信部、３４ａ…ＵＳＢポート、３４ｂ…ＵＳＢポート、３５…制御部、３５Ｂ…映像管理情報編集プログラム、３５Ｃ…メディア作成プログラム、３６…操作部、４０…ＵＳＢケーブル、４１…通信部、４１ａ…ＵＳＢポート、４２…制御部、４２Ａ…スケジュール管理プログラム、４３…記憶部、４３Ａ…スケジュール情報、４４…操作部、４５…表示部、５０…スケジュール表示ウインドウ、５１ａ〜５１ｃ…イベント、５２…イベント帯、５３…詳細スケジュール、５３ａ〜５３ｅ…スケジュール名、６０…メディア用映像管理情報、６０ａ〜６０ｄ…メディア用映像管理情報、６１…イベント名、６１ａ〜６１ｄ…イベント名、６２…全タイトルイベントリスト、６２ａ…全タイトルプレイリスト、６２ｄ…全タイトルプレイリスト、１００…上部筐体、１１０…下部筐体、１２０…ヒンジ部、６３０…タイトル、６４０…タイトル名、６５０…エントリーポイント、６６０…エントリーポイント名
【図１】
2009159072.tif 000003
【図２】
2009159072.tif 000004
【図３】
2009159072.tif 000005
【図４】
2009159072.tif 000006
【図５】
2009159072.tif 000007
【図６】
2009159072.tif 000008
【図７】
2009159072.tif 000009
【図８】
2009159072.tif 000010
【図９】
2009159072.tif 000011
【図１０】
2009159072.tif 000012